(57)【要約】【課題】  エアベルト装置において、通常装着時にエアベルト収容部分のスルーアンカー通過時フィーリング感が向上し、衝突時にエアベルトが適正なタイミングで所定形状に膨張し、乗員の側頭部から胸部を確実に拘束する。【解決手段】  第１のエアベルト２２は折り畳まれた状態から膨張し、乗員を拘束する拘束バッグ部２２Ａと、拘束バッグ２２Ａへのガス供給路となるガス導入ベルト部２２Ｂとが一体的に形成されている。第２のエアベルト３０は、ガス導入ベルト部２２Ｂ内に折り畳んだ状態で挿入され、先端３０ａに開裂可能な弱部が形成され、開口端からガスが導入され、筒状に膨張、伸長して第１のエアベルト２２の一部を押し出すとともに、先端３０ａからガスが噴出し、拘束バッグ２２Ａを膨張させる。エアベルト全体はメッシュウェビングと、カバーとに被覆されてエアベルト装置が構成されている。【選択図】  図５
2011105064.tif 000002
【特許請求の範囲】
【請求項１】
折り畳まれた状態から膨張し、乗員を拘束する拘束バッグ部と、該拘束バッグ部へのガス供給路となるガス導入ベルト部とが一体的に形成された第１のエアベルトと、前記ガス導入ベルト部内に折り畳んだ状態で挿入され、一部に開裂可能な弱部が形成され、開口端からガスが導入される第２のエアベルトとからなり、
前記第２のエアベルトが、開口端から導入されたガスにより、前記ガス導入ベルト部から前記拘束バッグ部にわたって筒状に膨張、伸長し、前記拘束バッグ部の折り畳みを解くとともに、前記弱部が開裂し、前記第２のエアベルトから前記拘束バッグ部にガスが噴出し、前記拘束バッグ部を膨張させることを特徴とするエアベルト。
【請求項２】
前記第２のエアベルトは、筒状に膨張、伸長して前記第１のエアベルトの一部を押し出すようにして前記第１のエアベルトの折り畳みを解くことを特徴とする請求項１に記載のエアベルト及びエアベルト装置。
【請求項３】
前記第２のエアベルトは、ほぼ全長が膨張した後に開裂する弱部が、先端部に形成されたことを特徴とする請求項１または請求項２に記載のエアベルト及びエアベルト装置。
【請求項４】
前記第１のエアベルトは、前記拘束バッグ部が前記ガス導入ベルト部の外側で、前記ガス導入ベルト部の幅にほぼ等しくなるように折り畳まれたことを特徴とする請求項１記載のエアベルト。
【請求項５】
請求項１に記載されたエアベルトは、一端がガス導入経路を有するトングに接続され、その全体が筒状のメッシュウェビング内に収容され、前記メッシュウェビングの周囲が織布カバーで覆われ、ベルト装着時に、前記トングが前記ガス導入経路にガスを供給可能なインフレータを有するバックル装置に定着され、衝突時に前記バックル装置のインフレータで発生したガスが前記トング内のガス導入経路を介して、前記エアベルト内に供給されることを特徴とするエアベルト装置。
【発明の詳細な説明】
【技術分野】
【０００１】
本発明はエアベルト及びエアベルト装置に係り、本発明は、車両等に装備され、衝突時等に乗員の胸部および側頭部を拘束するエアベルト装置のためのエアベルトに関し、通常装着時に装着感に優れ、ガス発生装置（インフレータ）からの発生ガスによって効率よく所定形状に膨張するようにしたエアベルト及びエアベルト装置に関する。
【背景技術】
【０００２】
従来のシートベルト装置は、乗員を拘束するベルトを構成するウェビングの幅が約５０mmであるため、乗員はウェビングにより拘束されたとき比較的大きな荷重を局部的に受けるようになる。
【０００３】
このウェビングを袋状に形成し、通常時にはこの袋状のウェビングを帯状に保形して一般的なシートベルトとして機能させ、緊急時にガス発生手段から噴出するガスをこの袋状のウェビングに導入することによりウェビングを膨張させ、その膨張させたウェビングにより乗員を受け止めるようにしたエアベルトを備えたインフレータブルシートベルト装置（エアベルト装置）が種々提案されている（特許文献１）。
【０００４】
特許文献１に開示されたインフレータブルシートベルト装置のエアベルトによれば、ウェビングが乗員の運動エネルギーをより広い面積で受けるようになる。これにより荷重が分散されるので、乗員が受ける荷重は比較的小さなものとなり、乗員はより一層効果的に保護される。また、乗員がエアベルト機能を有するシートベルトを装着した状態で、エアベルトの一部が膨張する。これにより、シートベルトがたて方向（ベルト長手方向）に短縮する。これは、シートベルト端を所定量だけ巻取装置に引き込むプリテンショナと同様の作用となるため、乗員の初期拘束力が得られるという利点もある。
【先行技術文献】
【特許文献】
【０００５】
【特許文献１】特開平６−１３５２９３号公報
【発明の概要】
【発明が解決しようとする課題】
【０００６】
しかし、特許文献１に開示したインフレータブルシートベルト装置では、エアベルトがベルト方向に長い範囲で膨張するため、たとえばエアベルトを蛇腹状に折り畳むような方法では、折り畳まれたエアベルトはその長手方向に長くなり、エアベルトをウェビング２の筒状部内の長手方向に沿って比較的長い領域にわたって収容しなければならない。
【０００７】
また、エアベルトは折り畳むと、幅、厚みともに増すため、従来のウェビングに比べ、エアベルトを収容した部分が太く、厚くなる。このためシートベルトの装着、装着解除動作のため、シートベルトの引き出し、巻き取りを行う際、エアベルト部分がスルーアンカーのスリット部分をスムースに通過しにくく、スルーアンカー通過時フィーリングが良くないという問題がある。そこで、本発明の目的は上述した従来の技術が有する問題点を解消し、常時の装着時におけるスルーアンカー通過時フィーリング感に優れ、衝突時においては、適正なタイミングで所定形状に膨張し、乗員の側頭部から胸部を確実に拘束できるエアベルト装置を提供することにある。
【課題を解決するための手段】
【０００８】
上記目的を達成するために、本発明は折り畳まれた状態から膨張し、乗員を拘束する拘束バッグ部と、該拘束バッグ部へのガス供給路となるガス導入ベルト部とが一体的に形成された第１のエアベルトと、前記ガス導入ベルト部内に折り畳んだ状態で挿入され、一部に開裂可能な弱部が形成され、開口端からガスが導入される第２のエアベルトとからなり、前記第２のエアベルトが、開口端から導入されたガスにより、前記ガス導入ベルト部から前記拘束バッグ部にわたって筒状に膨張、伸長し、前記拘束バッグ部の折り畳みを解くとともに、前記弱部が開裂し、前記第２のエアベルトから前記拘束バッグ部にガスが噴出し、前記拘束バッグ部を膨張させることを特徴とする。
【０００９】
前記第２のエアベルトは、筒状に膨張、伸長して前記第１のエアベルトの一部を押し出すようにして前記第１のエアベルトの折り畳みを解くようにすることが好ましい。これにより、前記第１のエアベルトを迅速に展開、膨張させることができる。
【００１０】
前記第２のエアベルトは、ほぼ全長が膨張した後に開裂する弱部を、先端部に形成することが好ましい。これにより、第２のエアベルトによって前記第１のエアベルトの折り畳みを解き、さらに前記拘束バッグ部の膨張を確実に行うことができる。
【００１１】
前記第１のエアベルトは、前記拘束バッグ部が前記ガス導入ベルト部の外側で、前記ガス導入ベルト部の幅にほぼ等しくなるように折り畳むことが好ましい。これにより、ベルト装着時の違和感が軽減される。
【００１２】
上述のエアベルトを用いたエアベルト装置として、前記エアベルトは、一端がガス導入経路を有するトングに接続され、その全体が筒状のメッシュウェビング内に収容され、前記メッシュウェビングの周囲が織布カバーで覆われ、ベルト装着時に、前記トングが前記ガス導入経路にガスを供給可能なインフレータを有するバックル装置に定着され、衝突時に前記バックル装置のインフレータで発生したガスが前記トング内のガス導入経路を介して、前記エアベルト内に供給されることを特徴とする。
【発明の効果】
【００１３】
以上に述べたように、本発明によれば、通常装着時において、エアベルト収容部分のスルーアンカー通過時フィーリング感が向上し、衝突時においては、エアベルトが適正なタイミングで所定形状に膨張し、乗員の側頭部から胸部を確実に拘束できるという効果を奏する。
【図面の簡単な説明】
【００１４】
【図１】本発明のエアベルトを備えたショルダーベルト部を有するエアベルト装置が車両に装備された状態を示した斜視図。
【図２】拘束エアベルトの折り畳み前の平面図および折り畳み手順を示した説明図。
【図３】展開推進ベルトの折り畳み前の平面図および折り畳み手順を示した説明図。
【図４】拘束エアベルトと展開推進ベルトとをユニット化したエアベルトを示した説明図。
【図５】図４に示したエアベルトの展開、膨張動作を模式的に断面で示した説明図。
【図６】エアベルト装置のショルダーベルト部の内部構成を示した説明図。
【図７】図６に示したエアベルト装置の膨張動作状態を示した説明図。
【発明を実施するための形態】
【００１５】
以下、本発明のエアベルト及びエアベルト装置の実施するための形態として、以下の実施例について添付図面を参照して説明する。
【実施例】
【００１６】
図１は、本発明のエアベルトを備えたエアベルト装置１０を座席１に装備した状態を示した斜視図である。同図に示したように、エアベルト装置１０は、内部に本発明のエアベルト２０を収容したメッシュウェビング４０と、このメッシュウェビング４０の端部が定着されたウェビング１６と、メッシュウェビング４０とウェビング１６の一部１６ａとを被覆したカバー４５とからなるショルダーベルト部１０Ａを有する。ショルダーベルト部１０Ａの一端にはトング１３が取り付けられている。さらにエアベルト装置１０としては、トング１３を介してラップベルト部１０Ｂが一体的に接続されている。ショルダーベルト部１０Ａ内にはエアベルト１２にガスを供給するガス供給部（図示せず）が形成され、その先端はトング１３に導かれている。
【００１７】
エアベルト装置１０を装着するには、通常のシートベルト装置と同様に、座席１の内側部に装備されたバックル装置１４にトングプレート１３ａを係止する。このときトング１３まで導かれたガス供給管が、バックル装置１４側に設けられたガス噴出孔に気密性を保持して連結される。バックル装置１４内にはインフレータ１５が内蔵されている。このインフレータ１５は、所定の衝突形態を検知して送られた点火信号を受けて作動してガスを発生させる。ガスはバックル装置１４内部のガス経路を介してガス噴出孔１４ｂから噴出され、エアベルト装置１０側のガス供給管１２を通じてショルダーベルト部１０Ａのエアベルト２０に供給される。これにより、エアベルト装置１０のエアベルト２０は所定のタイミングで膨張し、乗員の胸部から側頭部を確実に拘束する。
【００１８】
ショルダーベルト部１０Ａのトング１３と反対側は、Ｂピラー２に取り付けられたスルーアンカー３のスリット３ａを通過し、車体内部の下部に装備されたシートベルト巻取装置（ＥＬＲ）４に巻き取られている。一方、ラップベルト部１０Ｂのバックル側と反対側端は、プリテンショナが装備されたシートベルト巻取装置（ＥＬＲ）５に巻き取られている。ショルダーベルト部１０Ａのエアベルト２０を収容した部分は、非装着時（図１参照）には、バックル装置１４とスルーアンカー３との間に位置している。メッシュウェビング４０のみが収容され、ウェビング１６のカバー４５で覆われた部分１６ａは、スルーアンカー３を通過し、Ｂピラー２に沿ってスルーアンカー３とシートベルト巻取装置４との中間位置まで延在している。このため、シートベルトの引き出し、巻き取り時には、比較的薄い、メッシュウェビング４０のみが収容されカバー４５で覆われたウェビング部分１６ａがスルーアンカー３のスリット３ａを通過する。このため、引き出し巻き取り時における、スルーアンカー３の通過フィーリングは、従来のエアベルト装置に比べ、向上している。なお、図１に示したように、シートベルト巻取装置（ＥＬＲ）４には通常幅のウェビング１６のみが巻き取られる。
【００１９】
以下、エアベルト２０の構成と、その膨張態様と、エアベルト２０を収容したエアベルト装置１０の構成について、添付図面を参照して説明する。
【００２０】
図２各図はエアベルト２０の縫製後のパネル平面図および折り畳み時のパネル平面図、折り畳み時の概略断面図を示している。
図２（ａ）は、同形の２枚のパネル２１の外周縁を縫い合わせて完成した拘束エアベルト２２のパネル２１の平面図である。拘束エアベルト２２は、衝突時に、ガス導入ベルト２２Ｂから導入されたガスにより膨張し、エアベルト２０を装着した乗員の胸部から側頭部にかけてを拘束する部材である。その全長は約１０００mmで、その１／２がウェビング１６と同程度の幅のガス導入ベルト２２Ｂと、その先に一体的に形成され、たとえば最大直径が１５０〜１８０mm程度の紡錘形状に膨張する拘束バッグ２２Ａとからなる。ガス導入ベルト２２Ｂは、拘束バッグ２２Ａを膨張させるための筒状のガス経路で、その内部には後述する展開推進ベルト３０が折り畳まれた状態でほぼ全長にわたり収容される。なお、図２（ａ）には、以下に説明する拘束エアベルト２２Ａの折り畳み手順に沿って折り畳まれる際の輪状の折り返し線２２ａが模式的に楕円形状で、拘束バッグ２２Ａの折り畳み方向が矢印線で（実線側から破線側に矢印方向に折り込まれる。）示されている。
【００２１】
本明細書では、エアベルト２０を構成するために所定形状に切り出された基布を、パネル２１と呼ぶ。基布の素材としては、たとえばポリアミド繊維糸の平織物に薄膜樹脂コーティングを施したものが使用されている。２枚重ねされたパネル２１間の縫合箇所にはシールが施され、そのシール箇所に沿って縫製されている。これにより膨張時の縫合箇所ないし縫合線２３からのガス漏洩が防止されている。
【００２２】
以下、拘束エアベルト２２のパネル２１の折り畳み手順の一例について、図２（ｂ）〜（ｄ）を参照して説明する。まず、図２（ｂ）に示したように、拘束バッグ２２Ａの先端側が、長手方向のほぼ１／２で、全周が輪状の折り返し線となるように袋状に折り込み、その輪状の折り返し線の内部に拘束バッグ２２Ａの根元側の半分を、ガス導入ベルト２２Ｂが先端側２２ｂに達するように挿入する。同図の下半には、袋状となった先端側２２ｂ内に根元部２２ｃ側が挿入された状態のパネル２１が断面で示されている。
【００２３】
図２（ｃ）には、拘束バッグ２２Ａを折り畳むための折り目線（２点鎖線：谷折り線、１点鎖線：山折り線）が説明のために示されている。この折り目線に沿って蛇腹状に折り畳むことにより、図２（ｄ），（ｆ）に示したような、通常のウェビング１６と同程度の幅の折り畳み状態の拘束エアベルト２２ができあがる。
【００２４】
図２（ｅ）は図２（ｄ）に示した折り畳み図のうち、折り返しの状態を模式的に示した断面図である。同図に示したように、拘束エアベルト２２は、図２（ａ）の全長に対して約１／２の長さに短縮される。図２（ｆ）は図２（ｃ）に記された折り畳み例により、拘束バッグ２２Ａが蛇腹状に折り畳まれた状態を示した模式断面図である。
【００２５】
次に、ガス導入ベルト２２Ｂ内に収容される展開推進ベルト３０の構成と折り畳み状態について、図３各図を参照して説明する。
図３（ａ）は、同形の２枚のパネル２１の外周縁を縫い合わせて完成した展開推進ベルト３０のパネル２１の平面図である。この展開推進ベルト３０は、衝突時に、ガス供給孔３１から導入されたガスにより、約１／２の長さの折り畳み状態から図３（ａ）に示した全長の細長筒状になるまで膨張する。この展開推進ベルト３０は、初期膨張段階では、拘束エアベルト２２を迅速に展開させるための「押し出し棒」として機能する（図５（ｃ）参照）する。これにより、ウェビング１６幅程度まで細く折り畳まれた拘束バッグ２２Ａは、ベルト長手方向に、その折り畳み状態が解かれる。そして、展開推進ベルト３０は、完全膨張した後に先端部３０ａが破断し、ガスが拘束エアベルト２２の拘束バッグ２２Ａ内に一挙に噴出する。これにより、拘束バッグ２２Ａは短時間で所定の紡錘形状まで膨張できる（図５（ｄ）参照）。
【００２６】
この展開推進ベルト３０のパネルにも拘束バッグ２２Ａと同等の基布が使用されている。図３（ａ）の平面図で示されたパネルの２枚重ねの縫合箇所には、パネル間にシール３２が施され、そのシール３２の位置で縫製されている。これにより膨張時の縫合線３３からのガス漏洩が防止されている。また、展開推進ベルト３０の先端部３０ａは、ガス導入された細長棒状に膨張した直後にガス圧によって容易に破断するような工夫がなされている。
【００２７】
その構成について、図３（ｄ），（ｅ）を参照して説明する。図３（ｄ）に示した展開推進ベルト３０の先端部３０ａでは、先端部３０ａとその近傍にシール３３が施されておらず、縫合のみで先端部３０ａが閉じられている。このため、展開推進ベルト３０が棒状に完全膨張し、ベルト内が過圧状態になると、接合強度がシール３３が施された縫合部分より弱い先端部３０ａにガス圧が作用し、先端部３０ａが一気に破断する。これにより、展開推進ベルト３０は細長棒状に膨張した直後に先端部３０ａが裂けてガスが拘束バッグ２２Ａ内に噴出する。そのガス量は、拘束バッグ２２Ａを完全膨張させるのに十分な容量に設定されている。図３（ｅ）に示したように、先端部３０ａの縫合糸３４を細目糸に変えたり、縫い目ピッチを粗くして弱部となるようにすることも好ましい。この先端部３０ａの弱部としての構成は、まず展開推進ベルト３０が細長棒状に完全膨張でき、膨張後に直ちに先端ないしは先端から所定の範囲が一気に破断して噴出したガスが急激に拘束バッグ２２Ａを膨張させるような作用を果たすものであれば、種々の手段で弱部を形成することができる。
【００２８】
ここで、展開推進ベルト３０のパネル２１の折り畳み手順の一例について、図３（ｂ），（ｃ）を参照して説明する。展開推進ベルト３０の全長は、図３（ａ），図５（ｃ）に示したように、拘束エアベルト２２よりわずかに短く設定されている。この展開推進ベルト３０を図２（ｄ），（ｃ）に示した折り畳み状態の拘束エアベルト２２のガス導入ベルト２２Ｂ内に挿入される。そのために展開推進ベルト３０の全長の長手方向のほぼ１／２になるように、折り返し線３０ｂまで先端部３０ａを根元部３２Ｂにかけて折り返すように押し込み、その筒状の根元部３２Ｂ（ガス導入孔近傍）に展開推進ベルト３０の先端側３２Ａが達するように挿入する。図３（ｃ）は図３（ｂ）に示した展開推進ベルト３０の折り畳みの状態の断面を、模式的に示した断面図である。同図に示したように、展開推進ベルト３０は、図３（ａ）の全長に対して約１／２の長さに短縮される。
【００２９】
以下、展開推進ベルト３０と拘束エアベルト２２とをユニット化したエアベルト２０の構成と、このエアベルト２０における展開推進ベルト３０と拘束エアベルト２２の展開、膨張の動作について、図４各図、図５各図を参照して説明する。図４（ａ）は、上述した拘束エアベルト２２のガス導入ベルト２２Ｂ内に展開推進ベルト３０を挿入し、トング１３を取り付けてユニット化した状態を示したエアベルト２０の平面図、図４（ｂ）は、その側断面図（ガス供給管１２のみ図示）を示している。
【００３０】
図４（ａ）に示したように、図３（ｂ）に示した展開推進ベルト３０の幅、厚さは、拘束エアベルト２２のガス導入ベルト２２Ｂの空間内に収まる程度に折り畳まれ、図２（ｄ）に示したように、拘束バッグ２２Ａが折り畳まれた状態の拘束エアベルト２２のガス導入ベルト２２Ｂ内に挿入される。このとき、ガス導入ベルト２２Ｂの開孔端は、挿入された展開推進ベルト３０の端部近傍の外周面２４に気密性を保持して接合されている。さらに展開推進ベルト３０の端部には、ガス供給管１２が一体化されたトング１３が装着されている。このトング１３は、図１に示したものと同一構成からなり、図１に示したように、座席１の側部に固定されたバックル装置１４のトングプレート挿入孔１４ａにトングプレート１３ａを挿入すると、それと同時にガス供給管１２がバックル装置１４のガス噴出孔１４ｂに気密性を保持して装着される。図４（ｂ）は、図４（ａ）の側断面図であるが、同図から、発生ガスは、まずガス供給管１２から展開推進ベルト３０内にのみ供給されることが理解できる。
【００３１】
次に、図４（ａ）に示したユニット化されたエアベルト２０の膨張、展開動作について、図５（ａ）〜（ｄ）を参照して説明する。なお、図の簡単化のために、ガス供給管１２は示していないが、エアベルト２０に供給されるガス供給経路は白矢印で示し、エアベルト２０内のガス経路は黒太矢印で示してある。図５（ａ）は、図４（ｂ）と同一の初期状態である。なお、エアベルト２０は、実際には図１，図６，図７に示したように、全体がメッシュウェビング４０内に収容され、さらにその外周は織布からなるカバー４５で覆われているが、それらの構成は後述し、図５各図では、エアベルト２０の膨張動作について模式的に示して説明する。
【００３２】
車両の各所に設けられた衝突検知センサで所定の衝突状態が検知されると、図１に示したように、制御部（図示せず）から、バックル装置１４と一体化されたインフレータ１５に動作指令信号が送られ、インフレータ１５が作動し、ガスが発生する。そのガスはガス噴出孔１４ｂからガス供給管１２を介して、図５（ｂ）の白矢印のように、展開推進ベルト３０内に供給される。このガス供給により、所定の固さで細長い筒状に膨らんだ展開推進ベルト３０は、全長の約半分の長さに折り込まれた先端側部３２Ａを、わずかなガス量で、黒矢印で示したように先端方向に移動させるように、筒状をなして伸長する。これに伴い、図２（ｄ）のように折り畳まれた拘束エアベルト２２は、図５（ｂ）に示したように、膨張過程にある展開推進ベルト３０の一部に押し出されるようにして折り畳み状態が解かれていく。そして展開推進ベルト３０が全長まで膨張する（図５（ｃ））と、拘束エアベルト２２も図２（ｄ）の状態から図２（ａ）の状態まで、ほぼ折り畳み部分が無くなる程度まで展開される。その後もインフレータ１５からはガス噴出されるため、容量以上のガスが展開推進ベルト３０内に供給され、展開推進ベルト３０内が過圧状態となる。そして、展開推進ベルト３０の先端部３０ａの弱部（図３（ｄ）、（ｅ）参照）が破断し、ガスが一挙に拘束バッグ２２Ａ内に噴出する。そして拘束バッグ２２Ａは図５（ｄ）に示したような略紡錘形状に膨張する。たとえば図１に示した座席１に座った乗員（図示せず）が本発明のエアベルト装置１０を装着している場合、この紡錘形状に膨張した部位は、乗員の右胸部〜鎖骨〜右側頭部までの範囲に当接し、衝突（前突、側突）時における乗員の前記部位をソフトに拘束する。
【００３３】
［エアベルト装置の構成と膨張動作］
本発明の一実施例に係るエアベルト装置１０のショルダーベルト部１０Ａの構成と、衝突時におけるエアベルト２０の挙動について図６各図、図７を参照して説明する。
エアベルト装置１０のショルダーベルト部１０Ａは、上述したユニット化したエアベルト２０と、このエアベルト２０全体を収容する編物よりなる筒状のメッシュウェビング４０と、このメッシュウェビング４０をさらに包む筒状の織布からなるカバー４５と、スルーアンカー３での折り返し動作をスムースにさせるためのウェビング１６とで構成されている。このウェビング１６にはメッシュウェビング４０の端部が定着されている。また、メッシュウェビング４０全体を覆うカバー４５はウェビング１６の長手方向に沿ってその端部が縫製により支持されている。エアベルト２０の一端には、上述したように、ガス供給可能なトング１３（図４（ａ）参照）が接続されている。通常は、図１に示した座席１に座った乗員（図示せず）の右肩〜左腰部にかけてショルダーベルト部１０Ａを掛け渡すようにする。このときラップベルト１０Ｂ（図１）は、乗員の下腹部に沿って掛け渡される。
【００３４】
エアベルト装置１０は、図１，図６（ａ）に示したように、エアベルト２０が収容されたショルダーベルト部１０Ａは、メッシュウェビング４０のみがカバー４５で被覆されている部分より若干幅が広く、厚みも増しているが、触感がよい織布製のカバー４５で覆われているので、乗員の腹部から胸部に接しても圧迫感がない。
【００３５】
エアベルト２０を収容するメッシュウェビング４０は、加熱延伸加工を施すことにより、ベルト幅方向には柔軟に伸縮するが、長手方向（引張方向）への伸びがほとんど生じない。そこで、その性質を利用して、衝突時に拘束エアベルト２２の拘束バッグ２２Ａが膨張し、周方向の膨張に応じたエアベルト２０の短縮化が可能となる。そのため、ベルトテンショナーとしての作用も期待できる。
【００３６】
カバー４５は、長手方向のたて糸と幅方向のよこ糸とからなる織布で構成されている。カバー４５は、幅方向の織りの強さが長手方向よりも大きいため、ベルト幅が一定に保形されるとともに、ベルト長手方向において柔軟に屈曲しやすくなっている。これにより、カバー４５は、図６（ａ）に示したように、エアベルト２０を覆うメッシュウェビング４０全体をさらにくるんでも引き出し、巻き取り動作がスムースに行える。
【００３７】
カバー４５は、エアベルト２０が収容された範囲では、ベルトに沿って長い細長形状の織物を、ベルト側辺で折り返し、反対側の側辺とを縫合して筒状をなしている。さらに、その先端側のメッシュウェビング４０のみが収容された範囲では、カバー４５の側端部４５ａがウェビング１６の側辺に縫い付けられるとともに、メッシュウェビング４０の端部はウェビング１６の所定位置に定着されている。カバー４５とウェビング１６とを縫合する糸は、拘束バッグ２２Ａが膨張した際に断裂する。これにより、メッシュウェビング４０内の拘束バッグ２２Ａの膨張と、それに伴うメッシュウェビング４０の周方向の伸びは、ウェビング１６によって拘束されることはない。図６（ｂ）は、図６（ａ）のエアベルト装置１０の側面からみた図である。同図に示したように、メッシュウェビング４０内にエアベルト２０が収容されている左半部分の厚さは、右半部分（メッシュウェビング４０のみを収容し、そのカバー４５側端部がウェビング１６の側辺に縫い付けた部分）の厚さよりわずかに厚くなっている。また、図６（ｃ）に示した背面図から明らかなように、エアベルト装置１０は、エアベルト２０が収容されている部位では、カバー４５が乗員に接し、後に拘束バッグ２２Ａが膨張する範囲のメッシュウェビング４０のみが収容されているウェビング１６の部分１６ａは、エアベルト２０が収容されている部分より薄く、またウェビング１６が乗員に接する。よって、乗員がエアベルト装置１０を手にした触感や、装着したときの装着感は、エアベルト２０が収容された部分に比べ、通常のシートベルトの装着感に近づけることができる。
【００３８】
このように構成されたエアベルト装置１０において、衝突時にバックル装置１４にトングを装着した状態でインフレータ１５が作動すると、初期状態である図７（ａ）の状態から、エアベルト装置１０内の展開推進ベルト３０が膨張し、次いで、図７（ｂ）に示したように、拘束エアベルト２２の拘束バッグ２２Ａが略紡錘形状に膨張する。この拘束エアベルト２２の拘束バッグ２２Ａの膨張に際し、拘束バッグ２２Ａの膨張に応じてメッシュウェビング４０が周方向に広がるとともに、カバー４５の伸びしろを超えた段階で、縫合わせ部（図示せず）の破断糸が切断し、カバー４５は縫合わせ部に沿って長手方向に一気に裂ける。これにより、拘束バッグ２２Ａは制限されることなく供給されたガス量分だけ膨張し、その膨張変化に応じてメッシュウェビング４０も周方向に伸長する。なお、この拘束バッグ２２Ａの膨張による、メッシュウェビング４０の周方向の伸びに応じて、メッシュウェビング４０は長手方向の長さδだけ短縮される。これにより、エアベルト２０によってもテンショナーとしての作用による乗員拘束が果たされるという効果も奏する。
【００３９】
なお、本発明は上述した実施例に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４０】
１  座席
３  スルーアンカー
４，５  シートベルト巻取装置（ＥＬＲ）
１０  エアベルト装置
１０Ａ  ショルダーベルト部
１０Ｂ  ラップベルト部
１２  ガス供給管
１３  トング
１４  バックル装置
１４ｂ  ガス噴出孔
１５  インフレータ
１６  ウェビング
２０  エアベルト
２２  拘束エアベルト
２２Ａ  拘束バッグ
２２Ｂ  ガス導入ベルト
３０  展開推進ベルト
３０ａ  先端部
４０  メッシュウェビング
４５  カバー
【図１】
2011105064.tif 000003
【図２】
2011105064.tif 000004
【図３】
2011105064.tif 000005
【図４】
2011105064.tif 000006
【図５】
2011105064.tif 000007
【図６】
2011105064.tif 000008
【図７】
2011105064.tif 000009